【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】
衛星位置決めシステム（ＳＰＳ）とともに使用するための衛星データメッセージに関連した時間を測定するための方法において、
前記方法は、
衛星位置決めシステムの衛星データメッセージの少なくとも一部の第１のレコードをエンティティにおいて受信することと、
前記第１のレコードを前記衛星データメッセージの第２のレコードと比較し、前記第１のレコードと前記第２のレコードは、時間的に少なくとも一部が重畳し、前記比較は、前記第１のレコードが受信されたとき見積もり時間を決定した後に行われることと、
前記比較から時間を決定し、前記時間は前記第１のレコードが遠隔エンティティにおいて受信されたときを示すことと、
を備えた方法。
【請求項２】
前記遠隔エンティティは、モバイル衛星位置決めシステム（ＳＰＳ）受信器であり、前記見積もり時間は、前記第２のレコードと第１のレコードを比較するために前記第２のレコードに関連した時間範囲を指定するのに使用される、請求項１記載の方法。
【請求項３】
前記遠隔エンティティはモバイルＳＰＳ受信器であり、
前記第１のレコードが受信されたとき前記見積もり時間から比較範囲を決定することをさらに備えた、請求項１記載の方法。
【請求項４】
前記第２のレコードは、前記時間が前記第２のレコードから決定できるように日時情報を供給する、請求項１記載の方法。
【請求項５】
衛星位置決めシステムに使用するための衛星データメッセージに関連した時間を測定するための方法において、
前記方法は、
衛星位置決めシステムの衛星データメッセージの少なくとも一部の第１のレコードをエンティティにおいて受信することと、
前記第１のレコードが受信されたとき見積もり時間から比較範囲を決定することと、
前記第１のレコードを前記衛星データの第２のレコードと比較し、前記第１のレコードと前記第２のレコードは時間的に少なくとも一部が重畳し、前記比較は、前記比較範囲の少なくとも一部において行われることと、
前記比較から時間を決定し、前記時間は、前記第１のレコードが遠隔エンティティにおいて受信されたときを示すことと、
を備えた方法。
【請求項６】
前記方法は基地局である前記エンティティにおいて排他的に行われる、請求項５記載の方法。
【請求項７】
前記遠隔エンティティは、モバイル衛星位置決めシステム（ＳＰＳ）受信器である、請求項６記載の方法。
【請求項８】
前記モバイルＳＰＳ受信器はＧＰＳ（衛星航法システム）受信器である、請求項７記載の方法。
【請求項９】
前記第２のレコードは、前記時間が前記第２のレコードから決定できるように日時情報を供給する、請求項７記載の方法。
【請求項１０】
前記第２のレコードは前記基地局に記憶される、請求項９記載の方法。
【請求項１１】
前記比較することは前記第１のレコードおよび前記第２のレコードとの間の相互相関あるいはサンプル毎の比較を行うことを備えた、請求項９記載の方法。
【請求項１２】
前記エンティティにおいて前記遠隔エンティティから複数の擬似範囲を受信することをさらに備えた、請求項１１記載の方法。
【請求項１３】
前記時間および前記複数の擬似範囲を用いて前記遠隔エンティティの位置情報を決定することをさらに備えた、請求項１２記載の方法。
【請求項１４】
前記第１のレコードは５０ボーデータである、請求項９記載の方法。
【請求項１５】
前記第１のレコードのキャリア周波数を正確に決定することをさらに備えた、請求項７記載の方法。
【請求項１６】
前記比較範囲の決定は前記エンティティと前記遠隔エンティティとの間で少なくとも１つのメッセージを送信することを備えた、請求項７記載の方法。
【請求項１７】
前記送信は、第１のメッセージを前記エンティティから前記遠隔エンティティへ送信し、第２のメッセージを前記遠隔エンティティから前記エンティティへ送信することを備えた、請求項１６記載の方法。
【請求項１８】
前記第１のレコードは、複数の擬似範囲の第１の擬似範囲に対応する前記衛星データメッセージの少なくとも前記部分の少なくとも１つのレコードを備えた、請求項１７記載の方法。
【請求項１９】
第２の衛星データメッセージの少なくとも一部の第３のレコードを前記エンティティにおいて受信し、
前記第３のレコードを前記衛星データメッセージの第４のレコードと比較し、前記第３のレコードと前記第４のレコードは、少なくとも部分的に時間が重畳し、
前記比較ステップから第２の時間を決定し、前記第２の時間は、前記第３のレコードが前記遠隔エンティティにおいて受信されたときを示し、前記第２の衛星データメッセージが前記複数の擬似範囲の第２の擬似範囲に相当する、請求項１８記載の方法。
【請求項２０】
前記遠隔エンティティは、セルラ電話を具備し、前記第１のレコードはセルラ電話サイトを介して前記セルラ電話から受信される、請求項７記載の方法。
【請求項２１】
衛星位置決めシステム（ＳＰＳ）とともに使用するための衛星データメッセージに関連した時間を測定するための装置において、
前記装置は、衛星データメッセージの少なくとも一部の第１のレコードを受信する受信器と、
前記受信器に接続されたデータプロセッサーであって、前記データプロセッサーは、比較範囲において、前記衛星データメッセージの前記第１のレコードと第２のレコードとの比較を行い、前記第１のレコードと前記第２のレコードは少なくとも部分的に時間が重畳し、前記比較から時間を決定し、前記時間は前記第１のレコードが遠隔エンティティにおいて受信されたときを示し、前記比較範囲は、前記第１のレコードが前記遠隔エンティティにおいて受信されたときの見積もり時間から決定される、データプロセッサーと、
を備えた装置。
【請求項２２】
前記遠隔エンティティは、モバイル衛星位置決めシステム（ＳＰＳ）受信器である、請求項２１記載の装置。
【請求項２３】
前記第２のレコードは、前記時間が前記第２のレコードから決定できるように日時情報を供給する、請求項２２記載の装置。
【請求項２４】
前記データプロセッサーに接続され、前記第２のレコードを記憶する記憶装置をさらに備えた、請求項２３記載の装置。
【請求項２５】
前記データプロセッサーに接続され、前記第２のレコードを供給するＧＰＳ（衛星航法システム）受信器をさらに備えた、請求項２４記載の装置。
【請求項２６】
前記受信器は、無線あるいは有線の通信受信器の一方である、請求項２５記載の装置。
【請求項２７】
前記受信器は、前記遠隔エンティティから複数の擬似範囲を受信する、請求項２６記載の装置。
【請求項２８】
前記データプロセッサーは前記時間および前記複数の擬似範囲を用いて前記遠隔エンティティの位置情報を決定する、請求項２７記載の装置。
【請求項２９】
前記第１のレコードは５０ボーデータを具備する、請求項２３記載の装置。
【請求項３０】
前記データプロセッサーに接続され、別のエンティティと通信する送信器をさらに備えた、請求項２４記載の装置。
【請求項３１】
前記比較範囲は前記エンティティと前記遠隔エンティティとの間で少なくとも１つのメッセージを送信することにより決定される、請求項２２記載の装置。
【請求項３２】
前記第１のレコードは、前記複数の擬似範囲の第１の擬似範囲に相当する前記衛星データメッセージの少なくとも前記部分の少なくとも１つのレコードを備えた、請求項２８記載の装置。
【請求項３３】
前記受信器は第２衛星データメッセージの少なくとも一部の第３のレコードを受信し、前記データプロセッサーは前記第３のレコードを前記衛星データメッセージの第４のレコードと比較し、前記第３のレコードと前記第４のレコードは、少なくとも部分的に時間が重畳し、前記データプロセッサーは、前記比較ステップから第２の時間を決定し、前記第２の時間は、前記第３のレコードが前記遠隔エンティティにおいて受信されたときを示し、前記第２の衛星データメッセージは前記複数の擬似範囲の第２の擬似範囲に相当する、請求項３２記載の装置。
【請求項３４】
前記送信は、前記エンティティから前記遠隔エンティティへ第１のメッセージを送信し、前記遠隔エンティティから前記エンティティへ第２のメッセージを送信することを備えた、請求項３１記載の装置。
【請求項３５】
衛星位置決めシステム（ＳＰＳ）とともに使用する衛星データメッセージに関連した時間を測定する方法において、前記方法は、
モバイルＳＰＳ受信器において、衛星データメッセージの少なくとも一部を受信することと、
前記衛星データメッセージの前記少なくとも一部の第１のレコードを決定することと、
前記第１のレコードが前記モバイルＳＰＳ受信器において受信されたときの見積もり時間から比較範囲を指定するパラメータを決定することと、
前記第１のレコードが前記モバイルＳＰＳ受信器において受信されたときを示す時間を決定するために前記第１のレコードを遠隔の基地局に送信することと、
を備えた方法。
【請求項３６】
ＳＰＳ信号を受信し、少なくとも１つの擬似範囲を決定することをさらに備えた、請求項３５記載の方法。
【請求項３７】
前記少なくとも１つの擬似範囲を送信することをさらに備えた、請求項３６記載の方法。
【請求項３８】
前記受信、前記第１レコードの決定、および送信はモバイル衛星位置決めシステム（ＳＰＳ）受信器において実行される、請求項３５記載の方法。
【請求項３９】
ＧＰＳ信号を受信し、複数の擬似範囲を決定し、
前記複数の擬似範囲を送信することをさらに備えた、請求項３８記載の方法。
【請求項４０】
前記第１のレコードは５０ボーデータを備えた、請求項３９記載の方法。
【請求項４１】
前記ＧＰＳ信号からキャリア周波数を除去することをさらに備えた、請求項３６記載の方法。
【請求項４２】
前記第１のレコードを差分的に検出することをさらに備えた、請求項４１記載の方法。
【請求項４３】
前記比較範囲を指定する前記パラメータを決定することは、前記モバイルＳＰＳ受信器から前記遠隔基地局へ第１のメッセージを送信し、あるいは前記遠隔基地局から第２のメッセージを受信することを備えた、請求項３５記載の方法。
【請求項４４】
ＳＰＳ信号を受信するアンテナと、
前記アンテナと接続され前記ＳＰＳ信号からＰＮコードを除去する復調器と、
前記復調器と接続され、前記復調器から受信した衛星データメッセージの少なくとも一部の第１のレコードを決定し、前記第１のレコードが前記ＳＰＳ受信器において受信されたときの見積もり時間から比較範囲を指定するパラメータを決定するプロセッサーと、
前記プロセッサーと接続され前記第１のレコードを遠隔基地局に送信する送信器と、
を備えた衛星位置決めシステム（ＳＰＳ）受信器。
【請求項４５】
前記送信器と接続され、前記第１のレコードを前記遠隔基地局に送信する通信アンテナをさらに備えた、請求項４４記載の受信器。
【請求項４６】
前記アンテナと接続され、前記ＳＰＳ信号を取得し、少なくとも１つの擬似範囲を決定する相関器をさらに備えた、請求項４４記載の受信器。
【請求項４７】
前記パラメータの前記決定は、前記ＳＰＳ受信器から前記遠隔基地局に第１のメッセージを送信することまたは前記遠隔基地局から第２のメッセージを受信することの一方を備えた、請求項４４記載の受信器。
【請求項４８】
ＳＰＳ信号を受信するＳＰＳアンテナと、
前記ＳＰＳアンテナと接続され、前記ＳＰＳ信号を処理し、前記ＳＰＳ信号から少なくとも１つの擬似範囲を決定し、前記ＳＰＳ信号からＰＮコードを除去して前記ＳＰＳ信号内の衛星データメッセージの少なくとも一部の第１のレコードを供給し、前記第１のレコードが前記ＳＰＳ受信器において受信されたときの見積もり時間から比較範囲を指定する少なくとも１つのパラメータを決定するプロセッサーと、
前記デジタルプロセッサーと接続され、前記第１のレコードを遠隔基地局に送信する送信器と、
を備えた衛星位置決めシステム（ＳＰＳ）受信器。
【請求項４９】
前記パラメータの前記決定は、前記ＳＰＳ受信器から前記遠隔基地局へ第１のメッセージを送信すること、または前記遠隔基地局から第２メッセージを受信することの一方を備えた、請求項４８記載のＳＰＳ受信器。
【請求項５０】
モバイル衛星位置決めシステム（ＳＰＳ）受信器において、ＳＰＳとともに使用する衛星データメッセージに関連した時間を測定するための方法において、前記方法は、
前記モバイルＳＰＳ受信器において、衛星データメッセージの少なくとも一部の第１のレコードを受信することと、
前記モバイルＳＰＳ受信器において、前記衛星データメッセージの第２のレコードを受信し、前記第１のレコードと前記第２のレコードは少なくとも部分的に時間が重畳することと、
比較範囲を決定することと、
前記第１のレコードが前記モバイルＳＰＳ受信器において、受信されたときの見積もり時間から決定された少なくとも前記比較範囲において、前記第１のレコードを前記第２のレコードと比較することと、
前記比較から、前記第１のレコードが前記モバイルＳＰＳ受信器において、受信されたときを示す時間を決定することと、
を備えた方法。
【請求項５１】
前記時間が前記第２のレコードから決定できるように前記第２のレコードは日時情報を供給する、請求項５０記載の方法。
【請求項５２】
前記第２のレコードは、基地局から受信される、請求項５１記載の方法。
【請求項５３】
前記モバイルＳＰＳ受信器において、衛星天体暦情報を受信することをさらに備えた、請求項５２記載の方法。
【請求項５４】
前記天体暦情報は前記基地局から受信する、請求項５３記載の方法。
【請求項５５】
ＳＰＳ信号を受信し、複数の擬似範囲を決定することをさらに備え、前記比較範囲の前記決定は、前記ＳＰＳ受信器から遠隔基地局へ第１のメッセージを送信すること、または前記遠隔基地局から第２メッセージを受信することの一方を備えた、請求項５１記載の方法。
【請求項５６】
前記第１のレコードは、前記衛星データメッセージからＰＮコードを除去することにより得る、請求項５５記載の方法。
【請求項５７】
移動衛星位置決め（ＳＰＳ）受信器において、
ＳＰＳ信号を受信するアンテナと、
前記アンテナと接続され前記ＳＰＳからＰＮコードを除去する復調器と、
前記復調器と接続され、前記復調器から受信した衛星データメッセージの少なくとも一部の第１のレコードを決定し、比較範囲を決定するプロセッサーと、
通信アンテナと、
前記通信アンテナおよび前記プロセッサーと接続され、前記衛星データメッセージの第２のレコードを受信する通信受信器であって、前記第１のレコードと前記第２のレコードは少なくとも部分的に時間が重畳し、前記プロセッサーは、前記第１のレコードが前記モバイルＳＰＳ受信器において受信されたときの見積もり時間から決定される少なくとも前記比較範囲において前記第１のレコードと前記第２のレコードを比較し、前記第１のレコードが受信された時間を決定する、通信受信器と、
を備えたモバイル衛星位置決め（ＳＰＳ）受信器。
【請求項５８】
前記時間が前記第２のレコードから決定できるように前記第２のレコードは日時情報を供給する、請求項５７記載のモバイルＳＰＳ受信器。
【請求項５９】
前記第２のレコードは基地局から受信する、請求項５８記載のモバイルＳＰＳ受信器。
【請求項６０】
前記通信受信器は衛星天体暦情報を受信する、請求項５９記載のモバイルＳＰＳ受信器。
【請求項６１】
前記衛星天体暦情報は前記基地局から供給される、請求項６０記載のモバイルＳＰＳ受信器。
【請求項６２】
前記モバイルＳＰＳ受信器は擬似範囲を決定する、請求項５８記載のモバイルＳＰＳ受信器。
【請求項６３】
衛星位置決めシステム（ＳＰＳ）に使用する衛星データメッセージに関連した時間の測定を補助するための装置において、前記装置は、
衛星データメッセージの少なくとも一部の第１のレコードを比較するのに使用する衛星データメッセージの第２のレコードを送信し、前記第１のレコードを前記第２のレコードと比較するための比較範囲を決定するのに使用されるメッセージを送信する送信器であって、前記比較は前記第１のレコードが遠隔モバイルＳＰＳ受信器において、受信されたときの見積もり時間に基づく、送信器を備えた装置。
【請求項６４】
衛星位置決めシステム（ＳＰＳ）とともに使用する衛星データメッセージに関連する時間を測定する方法において、
衛星位置決めシステムの衛星データメッセージの少なくとも一部の第１のレコードをエンティティにおいて受信することと、
前記第１のレコードを衛星データメッセージの第２のレコードと比較することであって、前記比較することは前記第１のレコードが受信されたとき見積もり時間を決定した後に実行されることと、
前記比較することから時間を決定することであって、前記時間は、前記第１のレコードが遠隔エンティティにおいて受信されたときを示すことと、
を備えた方法。
【請求項６５】
前記遠隔エンティティは移動衛星位置決めシステム（ＳＰＳ）受信器であり、前記見積もり時間は、前記第２のレコードを前記第１のレコードと比較するために前記第２のレコードに関連した時間範囲を指定するために使用される、請求項６４の方法。
【請求項６６】
前記遠隔エンティティはモバイルＳＰＳ受信器であり、
前記第１のレコードが受信されたとき前記見積もり時間から比較範囲を決定することをさらに備えた、請求項６４記載の方法。
【請求項６７】
前記第２のレコードは、前記時間が前記第２のレコードから決定できるように日時情報を供給する、請求項６４記載の方法。
【請求項６８】
衛星位置決めシステムとともに使用する衛星データメッセージに関連した時間を測定する装置において、
衛星データメッセージの少なくとも一部の第１のレコードを受信する受信器と、
前記受信器に接続されたデータプロセッサーであって、前記データプロセッサーは、前記第１のレコードと前記衛星データメッセージの第２のレコードの比較範囲において比較を実行し、前記比較から時間を決定し、前記時間は前記第１のレコードが遠隔エンティティにおいて受信されたときを示し、前記比較範囲は前記第１のレコードが前記遠隔エンティティにおいて受信されたとき見積もり時間から決定される、データプロセッサーと、
を備えた装置。
【請求項６９】
前記遠隔エンティティは、モバイル衛星位置決めシステム（ＳＰＳ）受信器である、請求項６８記載の装置。
【請求項７０】
前記第２のレコードは、前記時間が前記第２のレコードから決定できるように日時情報を供給する、請求項６９記載の装置。
【請求項７１】
前記データプロセッサーに接続され、前記第２のレコードを記憶する記憶装置をさらに備えた、請求項７０記載の装置。
【請求項７２】
前記データプロセッサーに接続され、前記第２のレコードを供給するＧＰＳ（衛星航法システム）受信器をさらに備えた、請求項７１記載の装置。
【請求項７３】
前記受信器は、無線あるいは有線の通信受信器の一方である、請求項７２記載の装置。
【請求項７４】
前記受信器は、前記遠隔のエンティティから複数の擬似範囲を受信する、請求項７３記載の装置。
【請求項７５】
前記データプロセッサーは前記時間および前記複数の擬似範囲を用いて前記遠隔のエンティティの位置情報を決定する、請求項７４記載の装置。
【請求項７６】
前記第１のレコードは５０ボーデータを備えた、請求項７０記載の装置。
【請求項７７】
前記データプロセッサーに接続され、別のエンティティと通信する送信器をさらに備えた、請求項７１記載の装置。
【請求項７８】
前記比較範囲は前記エンティティと前記遠隔のエンティティとの間で少なくとも１つのメッセージを送信することにより決定される、請求項６９記載の装置。
【請求項７９】
前記第１のレコードは、前記複数の擬似範囲の第１の擬似範囲に相当する前記衛星データメッセージの少なくとも前記部分の少なくとも１つのレコードを備えた、請求項７５記載の装置。
【請求項８０】
前記受信器は第２衛星データメッセージの少なくとも一部の第３のレコードを受信し、前記データプロセッサーは前記第３のレコードを前記衛星データメッセージの第４のレコードと比較し、前記第３のレコードと前記第４のレコードは、少なくとも部分的に時間が重畳し、前記データプロセッサーは、前記比較ステップから第２の時間を決定し、前記第２の時間は、前記第３のレコードが前記遠隔のエンティティにおいて受信されたときを示し、前記第２の衛星データメッセージは前記複数の擬似範囲の第２の擬似範囲に相当する、請求項７９記載の装置。
【請求項８１】
前記送信は、前記エンティティから前記遠隔エンティティへ第１のメッセージを送信し、前記遠隔エンティティから前記エンティティへ第２のメッセージを送信することを備えた、請求項７８記載の装置。
【請求項８２】
移動衛星位置決めシステム（ＳＰＳ）において、ＳＰＳとともに使用する衛星データメッセージに関連する時間を測定する方法において、
前記移動ＳＰＳ受信器において、衛星データメッセージの少なくとも一部の第１のレコードを受信することと、
前記移動ＳＰＳ受信器において、前記衛星データメッセージの第２のレコードを受信することと、
比較範囲を決定することと、
前記移動ＳＰＳ受信器において前記第１のレコードが受信されたとき見積もり時間から決定された少なくとも前記比較範囲において前記第１のレコードを前記第２のレコードと比較することと、
前記比較から時間を決定することであって、前記時間は、前記第１のレコードが前記移動ＳＰＳ受信器において受信されたときを示すことと、
を備えた方法。
【請求項８３】
前記時間が前記第２のレコードから決定できるように前記第２のレコードは日時情報を供給する、請求項８２記載のモバイルＳＰＳ受信器。
【請求項８４】
前記第２のレコードは基地局から受信する、請求項８３記載のモバイルＳＰＳ受信器。
【請求項８５】
前記モバイルＳＰＳ受信器において、衛星天体暦情報を受信することをさらに備えた、請求項８４記載の方法。
【請求項８６】
前記天体暦情報は前記基地局から受信する、請求項８５記載の方法。
【請求項８７】
ＳＰＳ信号を受信し、複数の擬似範囲を決定し、前記比較範囲の前記決定は、前記ＳＰＳ受信器から遠隔基地局へ第１のメッセージを送信すること、または前記遠隔基地局から第２メッセージを受信することの一方を備えた、請求項５１記載の方法。
【請求項８８】
前記第１のレコードは、前記衛星データメッセージからＰＮコードを除去することにより得る、請求項８７記載の方法。
【請求項８９】
移動衛星位置決めシステム（ＳＰＳ）受信器において、
前記移動ＳＰＳ受信器において、衛星データメッセージの少なくとも一部の第１のレコードを受信する手段と、
前記移動ＳＰＳ受信器において、前記衛星データメッセージの第２のレコードを受信する手段と、
比較範囲を決定する手段と、
前記第１のレコードが前記移動ＳＰＳ受信器において受信されたとき見積もり時間から決定された少なくとも前記比較範囲において前記第１のレコードを前記第２のレコードと比較する手段と、
前記比較から時間を決定する手段であって、前記時間は前記第１のレコードが前記移動ＳＰＳ受信器において受信されたときを示す、手段と、
を備えた移動衛星位置決めシステム（ＳＰＳ）受信器。
【請求項９０】
前記第２のレコードは、前記時間が前記第２のレコードから決定できるように日時情報を供給する、請求項８９記載の移動衛星位置決めシステム（ＳＰＳ）受信器。
【請求項９１】
前記第２のレコードは、基地局から受信される、請求項９０記載の移動衛星位置決めシステム（ＳＰＳ）受信器。
【請求項９２】
前記モバイルＳＰＳ受信器において、衛星天体暦情報を受信する手段をさらに備えた、請求項９１記載の移動衛星位置決めシステム（ＳＰＳ）受信器。
【請求項９３】
前記天体暦情報は前記基地局から受信する、請求項９２記載の移動衛星位置決めシステム（ＳＰＳ）受信器。
【請求項９４】
ＳＰＳ信号を受信し、複数の擬似範囲を決定する手段であって、前記比較範囲の前記決定は、前記ＳＰＳ受信器から遠隔基地局へ第１のメッセージを送信すること、または前記遠隔基地局から第２メッセージを受信することの一方を備えた、請求項９０記載の移動衛星位置決めシステム（ＳＰＳ）受信器。
【請求項９５】
前記第１のレコードは、前記衛星データメッセージからＰＮコードを除去することにより得る、請求項９４記載の移動衛星位置決めシステム（ＳＰＳ）受信器。
【請求項９６】
移動衛星位置決め（ＳＰＳ）受信器において、
ＳＰＳ信号を受信するアンテナと、
前記アンテナと接続され前記ＳＰＳからＰＮコードを除去する復調器と、
前記復調器と接続され、前記復調器から受信した衛星データメッセージの少なくとも一部の第１のレコードを決定し、比較範囲を決定するプロセッサーと、
通信アンテナと、
前記通信アンテナおよび前記プロセッサーと接続された通信受信器であって、前記通信受信器は、前記衛星データメッセージの第２のレコードを受信し、前記プロセッサーは、前記第１のレコードが前記移動ＳＰＳ受信器において受信されたとき見積もり時間から決定された少なくとも前記比較範囲において前記第１のレコードと前記第２のレコードを比較し、前記第１のレコードが受信されたときを示す時間を決定する、通信受信器と、
を備えた移動衛星位置決め（ＳＰＳ）受信器。
【請求項９７】
前記時間が前記第２のレコードから決定できるように前記第２のレコードは日時情報を供給する、請求項９６記載の移動衛星位置決め（ＳＰＳ）受信器。
【請求項９８】
前記第２のレコードは基地局から受信する、請求項９７記載の移動衛星位置決め（ＳＰＳ）受信器。
【請求項９９】
前記通信受信器は衛星天体暦情報を受信する、請求項９８記載の移動衛星位置決め（ＳＰＳ）受信器。
【請求項１００】
前記衛星天体暦情報は前記基地局から供給される、請求項９９記載の移動衛星位置決め（ＳＰＳ）受信器。
【請求項１０１】
前記モバイルＳＰＳ受信器は擬似範囲を決定する、請求項９７記載の移動衛星位置決め（ＳＰＳ）受信器。
【請求項１０２】
衛星位置決めシステム（ＳＰＳ）とともに使用するために衛星データメッセージに関連する時間の測定において支援するための方法において、
衛星データメッセージの少なくとも一部の第１のレコードと比較するのに使用するための衛星データメッセージの第２のレコードを送信器から送信することであって、前記送信器は、前記第１のレコードを前記第２のレコードと比較するための比較範囲を決定するために使用されるメッセージを送信し、前記比較範囲は、遠隔移動ＳＰＳ受信器において前記第１のレコードが受信されたときの見積もり時間に基づいていることを備えた方法。
【請求項１０３】
実行されるとプロセッシングシステムに、衛星位置決めシステム（ＳＰＳ）とともに使用する衛星データメッセージに関連する時間の測定を支援するための方法を実行させる実行可能なコンピュータープログラム命令を供給する機械読み取り可能媒体において、前記方法は、
衛星データメッセージの少なくとも一部の第１のレコードと比較するのに使用するための衛星データメッセージの第２のレコードを送信器から送信することであって、前記送信器は、前記第１のレコードを前記第２のレコードと比較するための比較範囲を決定するために使用されるメッセージを送信し、前記比較範囲は、遠隔移動ＳＰＳ受信器において前記第１のレコードが受信されたときの見積もり時間に基づいていることを備えた機械読み取り可能媒体。
【請求項１０４】
実行されるとプロセッシングシステムに、移動衛星位置決めシステム（ＳＰＳ）受信器において、ＳＰＳとともに使用するための衛星データメッセージに関連する時間を測定するための方法を実行させる実行可能なコンピュータープログラム命令を供給する機械読み取り可能媒体において、前記方法は、
前記移動ＳＰＳ受信器において、衛星データメッセージの少なくとも一部の第１のレコードを受信することと、
前記移動ＳＰＳ受信器において、前記衛星データメッセージの第２のレコードを受信することと、
比較範囲を決定することと、
前記第１のレコードが前記移動ＳＰＳ受信器において受信されたとき見積もり時間から決定された少なくとも前記比較範囲において前記第１のレコードを前記第２のレコードと比較することと、
前記比較から時間を決定することであって、前記時間は前記第１のレコードが前記移動ＳＰＳ受信器において受信されたときを示すことと、
を備えた機械読み取り可能媒体。
【請求項１０５】
前記第２のレコードは、前記時間が前記第２のレコードから決定できるように日時情報を供給する、請求項１０４記載の機械読み取り可能媒体。
【請求項１０６】
前記第２のレコードは、基地局から受信される、請求項１０５記載の機械読み取り可能媒体。
【請求項１０７】
前記モバイルＳＰＳ受信器において、衛星天体暦情報を受信することをさらに備えた、請求項１０６記載の機械読み取り可能媒体。
【請求項１０８】
前記天体暦情報は前記基地局から受信する、請求項１０７記載の機械読み取り可能媒体。
【請求項１０９】
前記方法は、ＳＰＳ信号を受信し、複数の擬似範囲を決定することをさらに備え、前記比較範囲の前記決定は、前記ＳＰＳ受信器から遠隔基地局へ第１のメッセージを送信すること、または前記遠隔基地局から第２メッセージを受信することの一方を備える、請求項１０５記載の機械読み取り可能媒体。
【請求項１１０】
前記第１のレコードは、前記衛星データメッセージからＰＮコードを除去することにより得る、請求項１０９記載の機械読み取り可能媒体。
【手続補正２】
【補正対象書類名】明細書
【補正対象項目名】０００５
【補正方法】変更
【補正の内容】
【０００５】
【課題を解決するための手段】
本発明はＧＰＳまたはGlonassのような衛星位置システムに使用される衛星データメッセージに関連する時間を測定するための方法および装置を提供する。一実施形態における方法は、（１）衛星データメッセージの少なくとも一部の第一のレコードをエンティティにおいて受信するステップと、（２）前記第１のレコードを衛星データメッセージの第２レコードと比較するステップであり、前記第１のレコードと第２のレコードは、時間的に部分的に重畳し、前記比較は、前記第１のレコードが受信されたとき見積もり時間を決定した後に実行されるステップと、および（３）前記比較から時間を決定するステップであって、前記時間は前記第１のレコード（例えば第１のレコードのソース）が遠隔地のエンティティにおいて受信されたときを示すステップとからなる。この実施形態の第１の例において、遠隔地にあるエンティティは、モバイルＳＰＳ受信器であり、エンティティは無線（そして恐らく有線も）リンクを介してモバイルＳＰＳ受信器と通信する基地局である。本発明の方法は基地局において、独占的に実行可能である。他の実施形態において、前記比較が実行可能であり、前記第１のレコードが受信された予測時刻を用いて前記比較により決定された時間が正しいことを検証する。
【手続補正３】
【補正対象書類名】明細書
【補正対象項目名】０００７
【補正方法】変更
【補正の内容】
【０００７】
上述した手法の変形例は基地局に、遠隔装置への衛星データメッセージとこのメッセージの始まりに相関する絶対時間からなる、不要なものが取り除かれているレコードを送信させることである。この場合、遠隔地のエンティティは、このレコードを、この遠隔地のエンティティが受信するＧＰＳ信号を処理することにより形成するこのデータの推定値と比較する。この比較は、２つのレコード間の時間的オフセットを提供し、それにより局所的に集めたデータの絶対時間を確立する。
【手続補正４】
【補正対象書類名】明細書
【補正対象項目名】００１２
【補正方法】変更
【補正の内容】
【００１２】
ステップ２２７において、衛星の天体暦の基準レコードに対するモバイルＧＰＳ受信器から送信されたレコードの相互関係を実行する。この基準レコードは一般的に基準レコード内のデータに相関する正確なタイムスタンプを含む(例えば、基準レコード内のデータの各ビットは相関する時間値すなわち「スタンプ」を有する)。そして、当初取得したＧＰＳ信号のモバイルＧＰＳ受信器による受信の時間を決定するために使用されるのはこのタイムスタンプである。ステップ２２９において、基地局は、相関関係の演算から、取得したＧＰＳ信号の遠隔ＧＰＳ受信器による取得の時間を決定する。次に、基地局は、ステップ２３１において、ＧＰＳ信号の遠隔ＧＰＳ受信器による取得の時間を使用し、さらに決定された擬似範囲を使用して、遠隔／モバイルＧＰＳ受信器の緯度および経度であり得る、位置情報を決定する。ステップ２３３において、基地局は、遠隔ＧＰＳ受信器のこの位置情報を別のエンティティ、例えば、インターネットまたはイントラネットのようなネットワークを介して基地局に接続されたコンピュータシステムに通信する。これについて、図５Ｂおよび図６に関連して以下に詳細に述べる。
【手続補正５】
【補正対象書類名】明細書
【補正対象項目名】００４９
【補正方法】変更
【補正の内容】
【００４９】
上述した手続きの他の変形例も可能である。データをやりとりしてデータの受信時間を測定する代わりに、ある環境下において、モバイルとサーバあるいはサーバが通信することのできるその他のエンティティとの間で電気パルスあるいは他のタイミング信号を送信することが可能である。従って、このパルスまたは信号は、モバイルとサーバとの間の時間をおおよそ調整するための手段を提供することができる。モバイルおよびサーバは、サーバとの通信とは別個に信号または信号群の受信により時間のおおよその知識を得ることができる。例えば、各々は、ＷＷＶのような別の通信信号から日時の放送信号を受信することができる。モバイルとサーバは粗い共通の時間を確立するために、双方が共通の無線信号を見ることができその信号に相関する特定のエポック(epoch)に一致することができる。